(57)【要約】【課題】この発明は種々の形態で使用することができるようにした組み合わせ掛け布団を提供することにある。【解決手段】合い掛け布団１と、この合い掛け布団の下側に設けられる肌掛け布団１１とを有する組み合わせ掛け布団であって、  合い掛け布団はメスホック５ａ，５ｂとオスホック６ａ，６ｂによって分割可能に連結される２つの合い掛け布団片２ａ、２ｂに分割され、肌掛け布団は１５ａ，１５ｂとオスホック１６ａ，１６ｂによって分割可能に連結される２つの肌掛け布団片１２ａ、１２ｂに分割されていて、合い掛け布団と上記肌掛け布団の各布団片は、重ね合わせた状態でオスホック７とメスホック１７によってそれぞれ分割可能に連結可能である。【選択図】      図１
2006288820.tif 000002
【特許請求の範囲】
【請求項１】
合い掛け布団と、この合い掛け布団の下側に設けられる肌掛け布団とを有する組み合わせ掛け布団であって、
上記合い掛け布団は第１の連結手段によって分割可能に連結される２つの合い掛け布団片に分割され、上記肌掛け布団は第２の連結手段によって分割可能に連結される２つの肌掛け布団片に分割されていて、
上記合い掛け布団と上記肌掛け布団の各布団片は、重ね合わせた状態で第３の連結手段によってそれぞれ分割可能に連結可能であることを特徴とする組み合わせ掛け布団。
【請求項２】
上記第１の連結手段は分割された２つの合い掛け布団片の一端部を重合させて連結し、上記第２の連結手段は分割された２つの肌掛け布団の一端部を重合させて連結することを特徴とする請求項１記載の組み合わせ掛け布団。
【請求項３】
上記第３の連結手段は上記合い掛け布団の下面周辺部に設けられたオスホックとメスホックとのどちらか一方のホックと、上記肌掛け布団の上面周辺部に設けられた他方のホックであることを特徴とする請求項１記載の組み合わせ掛け布団。
【発明の詳細な説明】
【技術分野】
【０００１】
この発明は合い掛け布団と肌掛け布団とからなる組み合わせ掛け布団に関する。
【背景技術】
【０００２】
掛け布団には薄手の肌掛け布団と、この肌掛け布団に比べて厚手の合い掛け布団があり、季節に応じて使い分けるようにしている。たとえば比較的暖かな季節のときには肌掛け布団を利用し、涼しい季節では合い掛け布団を利用する。合い掛け布団だけでは十分な暖かさが得られないときには、肌掛け布団と合い掛け布団を重ねて利用するということが行なわれる。
【発明の開示】
【発明が解決しようとする課題】
【０００３】
ところで、利用者によっては身体の下半身を上半身よりも温かくしたい場合や上半身を下半身よりも温かくしたい場合などがある。しかしながら、肌掛け布団と合い掛け布団とを重ね合わせて使用するようにしたのでは、利用者のそのような要求に応じた状態で使用することができずに不便であるということがある。
【０００４】
この発明は、合い掛け布団と肌掛け布団とを組み合わせて利用する場合、たとえば下半身を上半身よりも温かくしたいなどの利用者の要求に応じて利用することができるようにした組み合わせ掛け布団を提供することにある。
【課題を解決するための手段】
【０００５】
この発明は、合い掛け布団と、この合い掛け布団の下側に設けられる肌掛け布団とを有する組み合わせ掛け布団であって、
上記合い掛け布団は第１の連結手段によって分割可能に連結される２つの合い掛け布団片に分割され、上記肌掛け布団は第２の連結手段によって分割可能に連結される２つの肌掛け布団片に分割されていて、
上記合い掛け布団と上記肌掛け布団の各布団片は、重ね合わせた状態で第３の連結手段によってそれぞれ分割可能に連結可能であることを特徴とする組み合わせ掛け布団にある。
【０００６】
上記第１の連結手段は分割された２つの合い掛け布団片の一端部を重合させて連結し、上記第２の連結手段は分割された２つの肌掛け布団の一端部を重合させて連結することが好ましい。
【０００７】
上記第３の連結手段は上記合い掛け布団の下面周辺部に設けられたオスホックとメスホックとのどちらか一方のホックと、上記肌掛け布団の上面周辺部に設けられた他方のホックであることが好ましい。
【発明の効果】
【０００８】
この発明によれば、合い掛け布団と肌掛け布団をそれぞれ分割可能に連結される２つの合い掛け布団片及び肌掛け布団片に分割し、さらに合い掛け布団と肌掛け布団の各布団片は重ね合わせた状態でそれぞれ分割可能に連結できる。
【０００９】
そのため、たとえば２つの合い掛け布団片のうちの利用者の上半身側に位置する一方を取り外せば、上半身よりも下半身の保温性を高くして使用できるなど、利用者の要求に応じた種々の使用形態を選択することが可能となる。
【発明を実施するための最良の形態】
【００１０】
以下、この発明の一実施の形態を図面を参照して説明する。
【００１１】
図１（ａ）は合い掛け布団１の分解斜視図であって、この合い掛け布団１は長手方向中途部で２つの合い掛け布団片２ａ，２ｂに分割されている。２つの合い掛け布団片の一方を第１の合い掛け布団片２ａ、他方を第２の合い掛け布団片２ｂとする。なお、２つの合い掛け布団片２ａ，２ｂは図３（ａ），（ｂ）に示すように袋状の外装地２１内に羽毛或いは綿などの保温材２２を収容して構成されている。
【００１２】
分割された第１の合い掛け布団片２ａと第２の合い掛け布団片２ｂとは第１の連結手段によって分割可能に連結される。第１の連結手段は第１の合い掛け布団片２ａの一端部と、第２の合い掛け布団片２ｂの一端部とに設けられている。
【００１３】
すなわち、第１の合い掛け布団片２ａの一端部には、幅方向に沿って第１の取付け部３ａが形成され、この第１の取付け部３ａよりも所定寸法内方の下面には幅方向に沿って第２の取付け部３ｂが設けられている。
【００１４】
第２の合い掛け布団片２ｂの一端部には、幅方向に沿って第１の取付け部４ａが形成され、この第１の取付け部４ａよりも所定寸法内方の上面には幅方向に沿って第２の取付け部４ｂが設けられている。各第１の取り付け部３ａ，４ａは外装地２１の端部を他の部分と隔別して形成され、各第２の取付け部３ｂ、４ｂは図３（ａ）に示すように各布団片２ａ，２ｂの外装地２１を折り返して形成される。なお、各第１、第２の取付け部３ａ，４ａ及び３ｂ、４ｂは外装地２１に帯状テープを縫合して形成してもよい。
【００１５】
図３（ａ），（ｂ）に示すように、第１の合い掛け布団片２ａの第１の取付け部３ａには３つのメスホック５ａが設けられ、第２の取付け部３ｂには２つのメスホック５ｂが設けられている。各メスホック５ａ，５ｂは連結部を第１の合い掛け布団片２ａの上面側に向けて設けられている。
【００１６】
上記第２の合い掛け布団片２ｂの第１の取付け部４ａには２つのオスホック６ａが設けられ、第２の取付け部４ｂには３つのオスホック６ｂが設けられている。各オスホック６ａ，６ｂは連結部を第２の合い掛け布団片２ｂの下面側に向けて設けられている。
【００１７】
それによって、合い掛け布団１は、第１の合い掛け布団片２ａの第１、第２の取付け部３ａ、３ｂのそれぞれのメスホック５ａ、５ｂを、第２の合い掛け布団片２ｂの第１、第２の取付け部４ａ，４ｂのそれぞれのオスホック６ａ，６ｂに取り外し可能に連結することができる。
【００１８】
つまり、第１の合い掛け布団片２ａと第２の合い掛け布団片２ｂとは、それぞれの第１、第２の取付け部３ａ，３ｂ及び４ａ、４ｂが設けられた端部を所定寸法重ね合わせた状態で、分割可能に連結することができるようになっている。
【００１９】
図１に示すように、上記第１の合い掛け布団片２ａの他端部の２つの角部の下面、第２の合い掛け布団片２ｂの他端部の２つの角部の下面及び第２の合い掛け布団片２ｂの第１の取付け部４ａの両端部の下面には第３の連結手段を構成するオスホック７がそれぞれの連結部を第２の合い掛け布団片２ｂの下面側に向けて設けられている。
【００２０】
図１（ｂ）は上記合い掛け布団１とでこの発明の組み合わせ掛け布団を構成する肌掛け布団１１の分解斜視図である。この合い掛け布団１１は長手方向中途部で２つの肌掛け布団片１２ａ、１２ｂに分割されている。２つの肌掛け布団片の一方を第１の肌掛け布団片１２ａとし、他方を第２の肌掛け布団片１２ｂとする。
【００２１】
第１、第２の肌掛け布団片１２ａ，１２ｂは図３（ａ）に示すように袋状の外装地２１に羽毛や綿などの保温材２２を充填して形成されている。第１、第２の肌掛け布団片１２ａ，１２ｂは第１、第２の合い掛け布団片２ａ，２ｂよりも保温材２２の充填量を少なくすることで、厚さが薄く形成されている。それによって、合い掛け布団１の方が肌掛け布団１１よりも高い保温性を備えている。
【００２２】
分割された第１の肌掛け布団片１２ａと第２の肌掛け布団片１２ｂとは第２の連結手段によって分割可能に連結される。第２の連結手段は第１の肌掛け布団片１２ａの一端部と、第２の肌掛け布団片１２ｂの一端部とに設けられている。
【００２３】
すなわち、第１の肌掛け布団片１２ａ一端部には、幅方向に沿って第１の取付け部１３ａが形成され、この第１の取付け部１３ａよりも内方の上面には幅方向に沿って第２の取付け部１３ｂが設けられている。
【００２４】
第２の肌掛け布団片１２ｂ一端部には、幅方向に沿って第１の取付け部１４ａが形成され、この第１の取付け部１４ａよりも内方の下面には幅方向に沿って第２の取付け部１４ｂが設けられている。
【００２５】
図３（ａ）に示すように、各第１の取り付け部１３ａ，１４ａは外装地２１の端部を他の部分と隔別して形成され、各第２の取付け部１３ｂ、１４ｂは各布団片１２ａ，１２ｂの外装地２１を折り返して形成されている。なお、各取り付け部１３ａ，１４ａ及び１３ｂ、１４ｂは外装地に帯状テープを縫合して形成してもよい。
【００２６】
第１の肌掛け布団片１２ａの第１の取付け部１３ａには２つのメスホック１５ａが設けられ、第２の取付け部１３ｂには３つのメスホック１５ｂが設けられている。各メスホック１５ａ、１５ｂは連結部を第２の取付け部１３ｂの上面側に向けて設けられている。
【００２７】
第２の肌掛け布団１２ｂの第１の取付け部１４ａには３つのオスホック１６ａが設けられ、第２の取付け部１４ｂには２つのオスホック１６ｂが設けられている。各オスホック１６ａ，１６ｂは連結部を第２の肌掛け布団１２ｂの下面側に向けて設けられている。
【００２８】
それによって、肌掛け布団１１は、第１の肌掛け布団片１２ａの第１、第２の取付け部１３ａ、１３ｂのそれぞれのメスホック１５ａ、１５ｂを、第２の肌掛け布団片１２ｂの第１、第２の取付け部１４ａ，１４ｂのそれぞれのオスホック１６ａ，１６ｂに着脱可能に連結することができる。
【００２９】
つまり、第１の肌掛け布団片１２ａと第２の肌掛け布団片１２ｂとは、第１、第２の取付け部１３ａ，１３ｂ及び１４ａ、１４ｂが設けられた端部を所定寸法重ね合わせた状態で、分割可能に連結することができるようになっている。
【００３０】
上記第１の肌掛け布団片１２ａの他端部の２つの角部の上面、第２の肌掛け布団片１２ｂの他端部の２つの角部の上面及び第２の肌掛け布団片１２ｂの第１の取付け部１４ａの両端部の上面には第３の連結手段を構成するメスホック１７が設けられている。これらのメスホック１７は上記合い掛け布団１の四隅部及び中途部の下面にそれぞれ設けられた、第３の連結手段を構成する上記オスホック７に分解可能に連結される。それによって、図２に示すように合い掛け布団１の下面に肌掛け布団１１を重ねるとともに、これら布団１、１１を連結して使用することができる。図３（ｂ）に合い掛け布団１と肌掛け布団１１との一端部を第３の連結手段を構成するオスホック７とメスホック１７とで連結した状態を示す。
【００３１】
このような構成の合い掛け布団１と肌掛け布団１１からなる組み合わせ布団によれば、たとえば図４（ａ）〜（ｅ）及び図５（ｆ）〜（ｋ）に示す形態で使用することができる。すなわち、図４（ａ）は合い掛け布団１の下面に肌掛け布団１１を重ね、これら布団１，１１を第３の連結手段を構成するオスホック７とメスホック１７とによって連結した状態で、このような状態によれば、利用者は全身を合い掛け布団１と肌掛け布団１１とが持つ両方の保温性によって温かな状態で使用することができる。つまり、寒い時期に使用する場合に好適する。
【００３２】
図４（ｂ）は合い掛け布団１だけを使用する場合であって、図４（ｃ）は肌掛け布団１だけを使用する場合である。これらの使用形態によれば、それぞれの布団１，１１が持つ保温性に応じた状態で使用することができる。
【００３３】
図４（ｄ）は肌掛け布団１１の利用者の下半身側に位置する第１の肌掛け布団片１２ａを取り外して使用する場合であって、このような使用形態によれば、利用者は上半身を下半身よりも温かくして使用することができる。
【００３４】
図４（ｅ）は図４（ｄ）と逆で、肌掛け布団１１の利用者の下半身側に位置する第１の肌掛け布団片１２ａを第１の合い掛け布団片２ａ側に重ねて使用する場合であって、このような使用形態によれば、利用者は上半身よりも下半身を温かくして使用することができる。
【００３５】
図５（ｆ）は合い掛け布団１の利用者の下半身側に位置する第１の合い掛け布団片２ａを除去した使用例であって、このようにして使用すれば、上半身側を下半身側よりも温かく、しかも下半身側は第１の肌掛け布団片１２ａだけであるから、図４（ｄ）の場合よりも、下半身側を涼しくした状態で使用することができる。
【００３６】
図５（ｇ）は上半身側の第２の合い掛け布団片２ｂを、下半身側の第１の合い掛け布団片２ａ側に重ねた使用例で、このようにして使用すれば、第２の肌掛け布団片１２ｂを第１の合い掛け布団片２ａ側に重ねた図４（ｅ）の場合よりも下半身を温かくして使用することができる。
【００３７】
図５（ｈ）は第１の肌掛け布団片１２ａと第２の合い掛け布団片２ｂとを連結して使用した場合で、このようにして使用すれば、１枚の布団でありながら、利用者の上半身側を下半身側よりも温かくすることができる。
【００３８】
図５（ｉ）は図５（ｈ）と逆の場合であって、第１の合い掛け布団片２ａと第２の肌掛け布団片１２ｂとを連結して使用する。このような使用形態によれば利用者は下半身を上半身よりも温かくして使用することができる。
【００３９】
図５（ｊ）は肌掛け布団１１の第１の肌掛け布団片１２ａの上面に、合い掛け布団１を折り畳んで第１の合い掛け布団片２ａと第２の合い掛け布団片２ｂとを重ねて使用するようにした例である。このようにして使用すれば、利用者の下半身側を、図５（ｇ）の場合に比べてさらに温かくすることができる。
【００４０】
図５（ｋ）は合い掛け布団１の第１の合い掛け布団片２ａの下面側に、肌掛け布団１１の第１の肌掛け布団片１２ａと第２の肌掛け布団片１２ｂを重ねて使用する場合で、このような使用形態によれば、利用者は下半身を温かくして利用することができるが、図５（ｊ）のように合い掛け布団１の第１、第２の合い掛け布団片２ａ，２ｂを折り畳んで使用する場合よりは下半身の保温性を低くすることができる。
【００４１】
このように、合い掛け布団１と肌掛け布団１１を、それぞれ分割可能に連結される第１、第２の布団片２ａ、２ｂ及び１２ａ，１２ｂによって構成した。そのため、これら第１、第２の布団片２ａ、２ｂ及び１２ａ，１２ｂの組み合わせによって上述した種々の形態で使用することができる。つまり、利用者は季節などに応じて好みの保温性となるよう、第１、第２の布団片２ａ、２ｂ及び１２ａ，１２ｂを組み合わせて使用することができるため、組み合わせ掛け布団の利用価値を向上させることができる。
【００４２】
また、合い掛け布団１の第１、第２の合い掛け布団片２ａ，２ｂ及び肌掛け布団１１の第１、第２の肌掛け布団片１２ａ，１２ｂは、これらの端部を所定寸法重ね合わせて連結される。そのため、合い掛け布団１及び肌掛け布団１１をそれぞれ各布団片２ａ，２ｂ及び１２ａ，１２ｂに分割しても、これらの各布団片２ａ，２ｂ及び１２ａ，１２ｂの連結部分が他の部分に比べて保温性が低くなるということがない。
【００４３】
この発明は上記一実施の形態に限定されず、たとえば第１乃至第３の連結手段はオスホック及びメスホックを用いる代わりに、ベルベットファスナを用いて分解可能に連結するようにしてもよい。
【図面の簡単な説明】
【００４４】
【図１】この発明の一実施の形態を示し、（ａ）は合い掛け布団の分解斜視図、（ｂ）は肌掛け布団の分解斜視図。
【図２】合い掛け布団と肌掛け布団を重ねた状態の側面図。
【図３】（ａ）は合い掛け布団と肌掛け布団との一対の布団片の第１、第２の連結手段が設けられた端部を示す拡大断面図、（ｂ）は合い掛け布団と肌掛け布団とを連結する第３の連結手段の一部を示す拡大断面図。
【図４】（ａ）〜（ｅ）は合い掛け布団と肌掛け布団の使用形態の説明図。
【図５】（ｆ）〜（ｋ）は合い掛け布団と肌掛け布団の使用形態の説明図。
【符号の説明】
【００４５】
１…合い掛け布団、２ａ…第１の合い掛け布団片、２ｂ…第２の合い掛け布団片、５ａ，５ｂ…メスホック（第１の連結手段）、６ａ，６ｂ…オスホック（第１の連結手段）、７…オスホック（第３の連結手段）、１１…肌掛け布団、１２ａ…第１の肌掛け布団片、１２ｂ…第２の肌掛け布団片、１５ａ，１５ｂ…メスホック（第２の連結手段）、１６ａ，１６ｂ…オスホック（第２の連結手段）、１７…メスホック（第３の連結手段）。
【図１】
2006288820.tif 000003
【図２】
2006288820.tif 000004
【図３】
2006288820.tif 000005
【図４】
2006288820.tif 000006
【図５】
2006288820.tif 000007